(57)【要約】【課題】アンカを埋設するときに用いられる固結剤を下穴に投入しやすいようにする。【解決手段】アンカを埋設する地面の所定の箇所に所定の穴径を有する下穴を所定深さあけ、そのあけられた下穴に所定の粒径を有する骨材及びその骨材同士を結合させる固結剤を投入し、その投入された骨材及び固結剤を所定の工具を回転しながら押圧し、その骨材を破砕するとともにその下穴の壁面に圧入させ、次いで、その下穴に軸棒に螺旋状の掘削刃を有するアンカを埋設するときに用いられるアンカ埋設用固結剤であって、前記固結剤は、前記所定の工具で破砕される材質からなる袋に挿入される。【選択図】      図２
2004316313.tif 000002
【特許請求の範囲】
【請求項１】
アンカを埋設する地面の所定の箇所に所定の穴径を有する下穴を所定深さあけ、そのあけられた下穴に所定の粒径を有する骨材及びその骨材同士を結合させる固結剤を投入し、その投入された骨材及び固結剤を所定の工具を回転しながら押圧し、その骨材を破砕するとともにその下穴の壁面に圧入させ、次いで、その下穴に軸棒に螺旋状の掘削刃を有するアンカを埋設するときに用いられるアンカ埋設用固結剤であって、
前記固結剤は、前記所定の工具で破砕される材質からなる袋に挿入されていることを特徴とするアンカ埋設用固結剤。
【請求項２】
請求項１に記載のアンカ埋設用固結剤において、固結剤は、セメント又はセメントモルタルであることを特徴とするアンカ埋設用固結剤。
【請求項３】
請求項２に記載のアンカ埋設用固結剤において、セメント又はセメントモルタルは、急結セメント又は急結セメントモルタルであることを特徴とするアンカ埋設用固結剤。
【発明の詳細な説明】
【０００１】
【発明の属する技術分野】
本発明はアンカ埋設用固結剤に係り、特に、軟弱な地盤を改良してアンカを埋設するときに用いられるものに関する。
【０００２】
【従来の技術】
本出願人は、配電線や電話線等の電柱、あるいは信号機のポール等の柱状物（以下、電柱で説明する。）の支線を支持するのに好適なアンカ（地中アンカ）を提案している（特許文献１〜３参照。）。このアンカは、地中に埋設される鋳鉄製の軸棒（支持棒）の先端側に間欠的に螺旋状の掘削刃を一体的に設けて構成されている。
【０００３】
すなわち、この提案に係るアンカは、鋳鉄製の棒状の軸棒（支持棒）に所定の間隔を保って、かつ、先端側（地中に埋設される側）よりも上部ほど直径が大きくなる螺旋状の掘削刃を一体的に設けて構成されている。そして、このアンカは、電柱を立設するときの穴掘建柱車の回転部を用いて地中の任意の深さに簡単に埋設できる特長を有している。また、この提案に係るアンカは、螺旋状の掘削刃の大きさ（直径）を大きくすると、その分だけ支線の耐張力（引張力）が増加するという特長を有しているので、Ｎ値が５以下のような軟弱な地盤（地中あるいは地面というときもある。）であってもアンカを埋設できるという特長がある。
【０００４】
しかしながら、上記提案に係るアンカは、そのアンカの螺旋状の掘削刃の直径を大きくすると軟弱な地盤であっても適用できるという特長を有しているが、螺旋状の掘削刃が大きくなるとアンカ全体が大型化し、質量も大きくなって扱いにくくなるという問題点を有している。
【０００５】
そこで、本出願人は、上記問題点を解決するために、特願２００２−３５５２４６号において、比較的小型のアンカ、例えば螺旋状の掘削刃の直径が１４０ｍｍのアンカ（以下、１４０φのアンカのように表現する。）であっても軟弱な地盤用のアンカとして採用することができるようにしたアンカの埋設方法を提案している。
【０００６】
上記提案に係るアンカの埋設方法は、アンカを埋設する地面の箇所に所定の穴径を有する下穴を所定深さあけ、そのあけられた下穴に所定の粒径を有する骨材を投入し、その投入された骨材を下端に超硬チップを有する工具を回転しながら押圧し、その骨材を破砕するとともにその下穴の壁面に圧入させ、次いで、その下穴に軸棒に螺旋状の掘削刃を有するアンカを埋設することを特徴としている。
【０００７】
さらにまた、本出願人は、特願２００３−７３９４１号において、上述の骨材の他に、その骨材同士を固結させることのできるセメント又はセメントモルタルを水とともに下穴に投入し、工具で押圧しながら回転させるアンカの埋設方法を提案している。この提案に係るアンカの埋設方法は、アンカの周囲に形成される骨材の塊は強固な大きな塊となるため、支線の耐張力をより高めることができるという特長がある。
【０００８】
【特許文献１】特開２０００−１８５０号公報
【特許文献２】特開２００１−５９２２１号公報
【特許文献３】特開２００１−１８２０５８号公報
【０００９】
【発明が解決しようとする課題】
上述のように、上記提案に係るアンカの埋設方法は、骨材の他にセメントやセメントモルタルからなる固結剤を用いると、アンカの耐張力を高めることができるという特長を有しているが、普通、電柱に用いられる支線は、地面に対して垂直以外の所定の角度を有しているために、アンカを埋設するときの下穴の軸方向も斜め方向にあけられ、したがって、セメントやセメントモルタルからなる粉状の固結剤の投入がしづらいという問題点があった。
【００１０】
そこで、本発明は、上記問題点を解決するためになされたものであって、その目的は、下穴が斜め方向にあけられていても、その下穴に容易に投入することのできるアンカ埋設用固結剤を提供することにある。
【００１１】
【課題を解決するための手段】
本発明に係るアンカ埋設用固結剤は、上記目的を達成するために、請求項１に記載の発明は、アンカを埋設する地面の所定の箇所に所定の穴径を有する下穴を所定深さあけ、そのあけられた下穴に所定の粒径を有する骨材及びその骨材同士を結合させる固結剤を投入し、その投入された骨材及び固結剤を所定の工具を回転しながら押圧し、その骨材を破砕するとともにその下穴の壁面に圧入させ、次いで、その下穴に軸棒に螺旋状の掘削刃を有するアンカを埋設するときに用いられるアンカ埋設用固結剤であって、前記固結剤は、前記所定の工具で破砕される材質からなる袋に挿入されていることを特徴としている。
本発明の請求項２に記載のアンカ埋設用固結剤は、固結剤は、セメント又はセメントモルタルであることを特徴としている。
本発明の請求項３に記載のアンカ埋設用固結剤は、セメント又はセメントモルタルは、急結セメント又は急結セメントモルタルであることを特徴としている。
【００１２】
【発明の実施の形態】
以下、本発明の実施の形態を図面に基づいて説明する。図１〜図４は、本発明に係るアンカ埋設用固結剤を用いたアンカの埋設方法を実施する工程を示し、図５は、アンカを地面に埋設した状態を示している。図１〜図４の工程に従って説明するが、本発明に係るアンカ埋設用固結剤（以下、「固結剤」という。）については、後に、図２を用いて説明する。
【００１３】
図１は、アンカＡ（図５参照）を埋設する地面Ｇの所定位置に工具１を用いて図２に示されるような所定の深さ、例えば１００ｃｍの深さで、所定の直径、例えば１２０φの下穴（前穴と呼ばれていることもある。）Ｈが地面Ｇに対して所定の傾きを有して、すなわち、図５に示される支線棒イの傾きに合わせてあけられる。この下穴Ｈの掘削作業で用いられる工具１は、通常、超硬ビットと呼ばれているもので、本出願人が特願２００２−１８４２０号で提案しているもので、鋼製の棒状体１ａの先端及び上部のつば部下部に超硬チップ１ｂ，１ｃをそれぞれ有している。この工具１には、パイプ状の補助工具（この補助工具については、本出願に係る特開２００１−２７１３４５号公報に詳述されている。）Ｍが工具１の頂部に設けられている角柱部１ｄに嵌められるように構成されている。そして、その工具１は、補助工具Ｍが図示しない穴掘建柱車の回転部で押圧させながら回転させられると、地中Ｇ内に圧入され、所定深さの下穴Ｈが簡単に形成される（図２参照）。
【００１４】
地面Ｇに形成される下穴Ｈは、上述したような超硬チップを有する工具１を用いることなく、所定の深さで、かつ、所定の直径の穴を掘ることができるものであれば採用することができる。例えば、電柱の穴掘建柱車に設けられる螺旋状掘削刃を小型化したようなものを用いることができる。しかし、後述する骨材の破砕と圧入を兼ねることができるので、上述の超硬チップ１ｂ，１ｃを有する工具１の方が便利である。
【００１５】
下穴Ｈの深さは、通常、１００ｃｍ前後とされる。これは、Ｎ値が１０以下の普通地盤や軟弱（軟質）地盤では、地表から１００ｃｍの深さまでが最も硬く、それよりも深くなると軟らかくなり、１００ｃｍよりも深く下穴Ｈを形成しても支線の耐張力を高める効果がそれほど期待できないからである。
【００１６】
また、工具１であけられる下穴Ｈの直径（穴径）Ｄ１  は、後述するアンカＡ（図５参照）の螺旋状の掘削刃（上部の最も大きな直径の掘削刃）の直径Ｄ２  によって決められる。すなわち、下穴Ｈの直径Ｄ１  とアンカＡの直径Ｄ２  との関係は、Ｄ２  ＝Ｄ１  ×１．１〜１．５とされる。例えば、１４０φの規格品のアンカＡの場合、上部の超硬チップ１ｃの設けられているつば部の直径が１２０ｍｍの規格型の工具（超硬チップ）１が用いられる。
【００１７】
工具１を用いてあけられた下穴Ｈには、所定量の骨材Ｃ、本発明に係る固結剤Ｂ及び水Ｗが投入され、その後、工具１で破砕圧入される（図３参照）。ここで用いられる骨材Ｃとしては、粒径５０ｍｍ程度の礫や砕石、あるいは同程度に破砕されたコンクリート廃材でもよく、ある程度硬質のものであればその種類は問わない。また、アンカＡがアース装置の電極と兼用されるようなときは、その骨材としてコークスを用いることもできる。なお、粒径が５０ｍｍを大きく越えるような骨材のときは、工具１による破砕に時間がかかって好ましくなく、また、砂のように小さすぎると、工具１により骨材Ｃを下穴Ｈの壁面に効果的に圧入することができない。
【００１８】
固結剤Ｂは、工具１によって破砕され、かつ、内部の材質の品質を保持することができる、例えば合成樹脂製の袋ｂ１  内にセメント又はセメントモルタルを密閉状に挿入して構成される。
【００１９】
袋ｂ１  の大きさは、少なくとも工具１であけられた下穴Ｈに挿入できる大きさに決められている。標準的な大きさの工具１であけられる下穴Ｈの穴径が１２０φの場合、袋ｂ１  は、セメントモルタルが１ｋｇ詰めの大きさとすることができる。固結剤Ｂの使用量が簡単に分るように、袋ｂ１  は、５００ｇ詰め、１ｋｇ詰め、１．５ｋｇ詰め、あるいは２ｋｇ詰めのように区切りのよい状態にすることが好ましい。
【００２０】
袋ｂ１  内に挿入される固結剤としては、上述のようなセメントモルタル又はセメントとすることができ、この場合、急結セメントモルタル又は急結セメントとして養生時間を短縮することができる。また、袋ｂ１  内には、砂のみを挿入することができる。この砂のみの袋ｂ１  のときは、下穴Ｈには、セメントモルタル又はセメントの挿入された袋ｂ１  も投入される。本発明では、砂の挿入された袋ｂ１  も本発明の固結剤に含まれている。
【００２１】
下穴Ｈに投入される固結剤Ｂの投入量は、その下穴Ｈに投入される骨材Ｃの量によって決められる。なぜならば、この固結剤Ｂは、骨材Ｃ及び水Ｗと混練されてコンクリート塊を生成するために用いられるものだからである。したがって、投入される骨材Ｃ、固結剤Ｂ及び水Ｗの量も、周知のコンクリート形成のための混合比によって必然的に決まる性質を有している。
【００２２】
下穴Ｈに投入される１回分の骨材Ｃ、固結剤Ｂ（セメントモルタルｂ１  ）及び水Ｗの投入量は、下穴Ｈの穴径にもよるが、その下穴Ｈの穴径が１２０φのときは、スコップ１杯分の骨材量（骨材が礫や砕石の場合は、約５ｋｇ）に対し、１ｋｇのセメントモルタルｂ２  及び５００ｃｃの水Ｗで足りる。そして、これら骨材Ｃ，固結剤Ｂ及び水Ｗの投入後に工具１で押圧しながら回転すると（図３参照）、骨材Ｃは破砕されるとともに、下穴Ｈの内壁面内に圧入される（図４のＣ′は、破砕された骨材Ｃの状態を示している。）。
【００２３】
工具１による骨材Ｃの破砕圧入処理後、下穴Ｈには、上述と同量の骨材Ｃ、固結剤Ｂ及び水Ｗが投入され、工具１を用いて上述と同様に破砕圧入処理が行われる（図２及び図３参照）。
【００２４】
図４は、骨材Ｃ、固結剤Ｂ及び水Ｗの投入と工具１を用いた破砕圧入を複数回繰返して得られた下穴Ｈの下部に形成された骨材Ｃの圧密化された状態を示している。下穴Ｈの下部における圧密化をする深さ、すなわち、下穴Ｈの底から圧密化する高さは、アンカＡの長さ分あれば十分である（後述の図５参照）。
【００２５】
骨材Ｃ、固結剤Ｂ及び水Ｗを分割して投入し、その投入の都度、工具１で破砕と圧入を繰返すようにすると、破砕されて細片化された骨材Ｃ′をまんべんなく下穴Ｈの壁面に圧入させて、下穴Ｈの下部に硬い大きな塊（コンクリート塊）を作ることができる。
【００２６】
図５は、下穴Ｈの下部部が骨材Ｃで圧密化された後に、その下穴Ｈに骨材Ｃを投入後、アンカＡを埋設した状態を示している。このアンカＡは、鋳鉄製の軸棒ａ１  の先端側（図５において下部側）に間欠的に所定の間隔を保って螺旋状の掘削刃ａ２  ，ａ２  …を複数個（図示の例では４個）一体的に設けて構成されている。また、このアンカＡの先端（図５において下端部）は、硬質のドリルで形成され、また、掘削刃ａ２  ，ａ２  …も硬質で、かつ、その外周は尖鋭に形成されているので、上述の工具１と同様の作用を有することができる。したがって、アンカＡの埋設の際（アンカＡのねじ込みの際）、骨材Ｃを破砕し、その破片を下穴Ｈの壁面に圧入させることができる。
【００２７】
上述のようにして下部部分が骨材Ｃの細片で圧密化された下穴Ｈには、アンカＡが埋設される。このアンカＡの埋設は、アンカＡの角柱部ａ３  に設けられているアイ部に支線棒イを接続し、その支線棒イを補助工具Ｍ（図５では省略。図１及び図３参照。）の内部に収納しながらその補助工具Ｍを角柱部ａ３  に嵌め、その補助工具Ｍを図示しない穴掘建柱車の回転部で押圧させながら回転して行われる。そして、アンカＡが所定深さに埋設された後、補助工具Ｍが外されると、地上には支線棒イの先端部が現れる。次いで、その支線棒イの先端に設けられているリング部に図示しないシンブルを介して支線（図示せず）が取付けられる。
【００２８】
【発明の効果】
本発明の請求項１に記載のアンカ埋設用固結剤は、固結剤は、所定の工具で破砕される材質からなる袋に挿入されているので、傾斜している下穴であっても固結剤を容易に投入することができる。
本発明の請求項２に記載のアンカ埋設用固結剤は、固結剤は、セメント又はセメントモルタルであるので、固結剤を容易に得ることができる。
本発明の請求項３に記載のアンカ埋設用固結剤は、セメント又はセメントモルタルは、急結セメント又は急結セメントモルタルであるので、養生を短縮することができる。
【図面の簡単な説明】
【図１】下穴をあける工程図である。
【図２】下穴に骨材、固結剤及び水を投入する工程図である。
【図３】工具で骨材を破砕する工程図である。
【図４】工具で骨材を破砕して下穴に圧入させた状態を示す工程図である。
【図５】下穴にアンカを埋設したときの断面図である。
【符号の説明】
１  工具（超硬ビット）
Ｈ  下穴
Ｇ  地面
Ａ  アンカ
Ｃ  骨材
Ｂ  固結剤
Ｗ  水
【図１】
2004316313.tif 000003
【図２】
2004316313.tif 000004
【図３】
2004316313.tif 000005
【図４】
2004316313.tif 000006
【図５】
2004316313.tif 000007